(57)【要約】      （修正有）【課題】既存の吊下げ形の照明器具に容易に取り付けができる、取り扱いが簡単で効率の良い空気清浄器を安価に提供する。【解決手段】円筒などを中心線に沿って２分割した形状の容器１，２の上面と下面に気流が通過できる開口部を設けて、通気性に優れ圧力損失が小さい活性炭や化学吸着剤のハニカムを容器の形状に合わせて成型して容器に収納したものを２個で１組としてラッチや磁石等で着脱可能な構造とした空気清浄器を吊下げ形の既存の照明器具の吊下げ部のコード１５に取り付けた。【選択図】図３
0003103592.tif 000002
【実用新案登録請求の範囲】
【請求項１】
照明器具の吊下げコード部に取り付ける空気清浄器であって、既設の照明器具に手を加えることなく着脱できるように２分割したプラスチック等で作られた容器の上面と下面に通気用の開口部を設けて、容器の中に活性炭や化学吸着剤のハニカムを収納する構造の空気清浄器。
【考案の詳細な説明】
【技術分野】
【０００１】
本考案は市販の一般的な吊下げ形の蛍光灯や電球などの照明器具の吊下げコード部に取り付け取り外しができる、照明器具とは独立した空気清浄器に関するものである。
【背景技術】
【０００２】
シックハウス問題に見られるような室内空気中の化学汚染物質や有害ガス、またペット等の不快な臭いの対策として活性炭や化学吸着剤などの吸着剤を用いた空気清浄器が市販されているが、その評価は十分なものとはいえない。吸着剤の優れた比表面積を十分に活かすためには吸着剤の内部にまで室内空気を通過させることが重要である。
【０００３】
吊下げ形の蛍光灯や電球などの照明器具の上部は生活空間の邪魔にならず、また照明器具の発する熱による空気の対流があるためこうした空気清浄器の設置場所として好都合である。しかし、照明器具の発する熱による空気の対流は非常に緩やかなものであり、粒状、破砕状、粉末状の吸着剤では通気抵抗が大きいため室内空気を吸着剤の内部まで届けることは難しい。
【０００４】
また、生活空間と調和する、デザイン性に富み、夜間の良好な就寝を妨げない静寂性と万が一にも機器の過熱などを引き起こさない安全性を兼ね備えた、安価で取り扱いの簡単な、且つ設置の容易な空気清浄器が望まれる。
【０００５】
吊下げ形の電灯の上方に設置する空気清浄器の提案としては
【特許文献１】特開平１１−３３２９６８号公報のユーフォークリーンが挙げられる。吸着剤として紙袋に分包した粒状活性炭を用いるため内部への通気抵抗が大きく、また容器内の吸着剤の体積効率が低くなる。
【０００６】
更には、容器の材料は紙であり貼り合わせ箇所も多いので強度面と製作工程面からデザインの柔軟性に制約がある。照明器具や設置する部屋と調和する、使う人の好みに応じたデザインが容易ではない。
【０００７】
吊下げ形の照明器具の笠部を利用する空気清浄器の提案として
【特許文献２】特開平１１−２２４５１２号公報、
【特許文献３】特開２０００−３５０９０９号公報、
【特許文献４】特開平１０−１８８６６１号公報、
【特許文献５】特開平１１−１６２２４９号公報、
【特許文献６】特開平１１−３０６８５４号公報、
【特許文献７】特開２００１−１２９０６５号公報、
【特許文献８】特開２００４−０２２１９５号公報があるが、笠部にファン等を組み込むものであって既設の吊下げ形の照明器具を対象とはしていない。
【考案の開示】
【考案が解決しようとする課題】
【０００８】
既存の吊下げ形の照明器具に容易に取り付けができる、取り扱いが簡単な効率の良い空気清浄器を安価に提供することである。
【課題を解決するための手段】
【０００９】
円筒や厚みのある円盤を中心線に沿って２分割した形状の容器の上面と下面に十分な広さの面積率の通気開口部を設けて、内部に活性炭や化学吸着剤のハニカムを収納した構造とする。ハニカムは通気性に優れ圧力損失が下記の表に例示するように粒状活性炭の約１０分の１と小さいので緩やかな気流であってもハニカム内部を室内空気が通過することができる。
【００１０】
【表１】
0003103592.tif 000003
【００１１】
２分割した容器を合わせると中心線に沿って照明器具の吊下げコードの通り道が形成されるように、２分割の容器には溝が設けられている。また、容器はラッチや磁石などで２個を合わせた円筒や円盤の形状で強固に保持されて空気清浄器を構成する。
【００１２】
空気清浄器は吊下げ形の照明器具の上部の吊下げコード部に設置する。生活空間の邪魔にならず、また照明器具の発する熱による空気の対流を利用できるためこうした空気清浄器の設置場所として好都合である。
【００１３】
容器の形状は多角形の筒であっても良いし、また上面および下面はフラットでも丸みを帯びていても良い。上下に丸みを持たせれば球状となり、更には果物の形状など多様なデザインが可能である。容器は強度に優れデザインの多様性に対応できるプラスチックなどで作られる。
【００１４】
容器には内部に収納した活性炭や化学吸着剤のハニカムを交換するための蓋を設けることも可能である。ラッチや磁石などのとめ具を開放して吊下げコード部から取り外すことで安全な場所でのハニカムの交換が可能となる。
【考案の効果】
【００１５】
本考案の空気清浄器は通気性に優れ圧力損失が小さい活性炭や化学吸着剤のハニカムを容器の形状に合わせて成型して容器に収納する構造とできるので照明器具の発する熱による緩やかな気流であってもハニカム内部を室内空気が通過することができる。このため活性炭や化学吸着剤の優れた比表面積を十分に活かすことができ、効率の良い空気清浄器を実現することが可能となる。
【００１６】
照明器具とは独立して吊下げコード部に取り付ける空気清浄器であるので既存の照明器具に設置が容易であり、照明器具の上部にあるので生活空間の邪魔にもならない。
【００１７】
容器に蓋を設けることでハニカムの交換ができるので経済性はもとより廃棄物の削減をも実現することが可能となる。ハニカムの交換は空気清浄器をコードから取り外した状態で安全に行なえる。
【考案を実施するための最良の形態】
【００１８】
円筒や厚みのある円盤を中心線に沿って２分割した形状の容器の上面と下面に十分な広さの面積率の通気開口部を設けて、内部に容器の形状に合わせて成型した活性炭や化学吸着剤のハニカムを収納する。
【００１９】
２個の容器を合わせると中心線に沿って照明器具の吊下げコードの通り道が形成されるように容器には溝が設けてある。また、容器はラッチや磁石などで２個を合わせた円筒や円盤の形状で強固に保持して空気清浄器を構成する。
【００２０】
必要に応じて容器にはハニカム交換用の蓋を設ける。空気清浄器は吊下げ形の照明器具の上部の吊下げコードを容器の溝に通してから２個を合わせて、ラッチや磁石などで円筒や円盤の形状で強固に保持することでコード部に設置する。
【実施例】
【００２１】
図１は本考案空気清浄器の１構造例であって、１，２は２分割した容器本体であり容器の内部に活性炭や化学吸着剤などのハニカムを収納する。３，４はそれぞれ１，２にたいする蓋であり、この蓋を開けて吸着剤の取替えを行なう。蓋と容器本体には上昇気流を容器内に導入するための開口部５，６および７，８が適宜数設けられている。９は磁石での吸着用の鉄片であり、１０は鉄片９を吸着して１，２を閉じるための磁石である。１，２を合わせるとコードの通り道１３が形成される。１、２および３，４はプラスチック等で作られている。１，２が開いた状態でコードを通してから１，２を閉じると鉄片９と磁石１０との間の吸着力でコードを通した状態のまま保持される。
【００２２】
図２は２分割した容器を個々に切り離した場合の構造例であって、１〜１０は図１と同様である。１１は磁石であり、１２は鉄片である。コードを中にして９と１０、１１と１２を合わせると鉄片９、１２と磁石１０、１１との間の吸着力でコードを通した状態のまま保持される。この構造の場合、２分割した容器本体１および２、蓋３および４はまったく同じ構造となるため、１と３または２と４の片方みを作ればよいという利点がある。
【００２３】
図３は本考案空気清浄器の１実施例であって、１〜１３は図１と同様である。また、１４は照明器具の笠、１５は吊下げコード、１６は吊下げコード長さの調整用のスリーブでほとんどの吊下げ形の照明器具に設けられている。コードの通り道１３はこのスリーブで止まることになり照明器具の笠とは適当な空間が確保されることになる。
【００２４】
図４は容器に収納するハニカムの形状例であって１７はハニカムであり、容器の内側形状に沿って収納されるように成型されているため取り扱いが簡単で、体積効率に優れるという利点がある。１８はハニカムの孔であり室内空気は多数存在するこの孔を通過するので通気性に優れるという利点がある。
【産業上の利用可能性】
【００２５】
シックハウス問題に見られるような室内空気中の化学汚染物質や有害ガス、またペット等の不快な臭いの対策として活性炭や化学吸着剤などの吸着剤を用いた空気清浄器が市販されているが、その評価は十分なものとはいえない。本考案の空気清浄器は通気性に優れ圧力損失が小さい活性炭や化学吸着剤のハニカムを容器の形状に合わせて成型して容器に収納する構造とできるので照明器具の発する熱による緩やかな気流であってもハニカム内部を室内空気が通過することができる。このため活性炭や化学吸着剤の優れた比表面積を十分に活かすことができ、効率の良い空気清浄器を安価に供給することが可能となる。
【図面の簡単な説明】
【００２６】
【図１】本考案の空気清浄器の構造例を示した図面である。
【図２】本考案の空気清浄器の容器の２分割例を示した図面である。
【図３】本考案の空気清浄器の実施例を示した図面である。
【図４】本考案の空気清浄器のハニカムの形状例を示した図面である。
【符号の説明】
【００２７】
１  ２分割した容器本体
２  ２分割した容器本体
３  蓋
４  蓋
５  開口部
６  開口部
７  開口部
８  開口部
９  鉄片
１０  磁石
１１  磁石
１２  鉄片
１３  コードの通り道
１４  照明器具の笠
１５  吊下げコード
１６  吊下げコード長さの調整用のスリーブ
１７  ハニカム
１８  ハニカムの孔
【図１】
0003103592.tif 000004
【図２】
0003103592.tif 000005
【図３】
0003103592.tif 000006
【図４】
0003103592.tif 000007